(57)【要約】【課題】競艇場水面に於いて、モンキーターンなどの操縦技術の進歩や推進器の改良により、著しく旋回速度が向上したため、ガードレール付消波装置に激突し、レース艇から投げ出された選手がガードレールの上を越えて消波装置の鋼材やポールに衝突して負傷、あるいは、最悪の場合は死亡事故に至るケースが最近になって発生するようになった。【解決手段】消波装置上に複数本の支柱を設置し、該支柱間に該消波装置のガードレール上端より１〜２ｍの高さにワイヤーロープ等を張設し、該ワイヤーロープ等に防護ネットを吊るし、該防護ネットの下端を該ガードレール上部に固定したことを特徴とした消波装置のネット型安全装置である。【選択図】  図１
2005342268.tif 000002
【特許請求の範囲】
【請求項１】
消波装置上に所要本数の支柱を設置し、該支柱間に該消波装置のガードレール上端より所要の高さにワイヤーロープ等を張設し、該ワイヤーロープ等に防護ネットを吊るし、該防護ネットの下端を該ガードレール上部に固定したことを特徴とする消波装置のネット型安全装置。
【請求項２】
該消波装置上に2本の支柱を設置し、該支柱間に該消波装置のガードレール上端より１〜２ｍの高さにワイヤーロープ等を張設し、該ワイヤーロープ等に防護ネットを吊るし、該防護ネットの下端を該ガードレール上部に固定したことを特徴とする請求項１記載の消波装置のネット型安全装置。
【請求項３】
該防護ネットの材質を合成材料、天然材料、金属材料等として成る請求項１記載の消波装置のネット型安全装置。
【請求項４】
該支柱を増設していくことにより該防護ネットを横に複数個接続して成る請求項１記載の消波装置のネット型安全装置。
【発明の詳細な説明】
【技術分野】
【０００１】
この発明は、安全用ネットを有するガードレール付き消波装置に関し、更に詳しくは競艇場に於けるガードレール付き消波装置の安全性の改良に関する。
【背景技術】
【０００２】
（１）競艇場に於いて、同時に６隻のレース艇Ｂｔが３００ｍ離れた２つのターンマーク（浮標）を旋回して高速（約80km／h）で競走するが、ターンマークを曲がりきれずレースコースを外れ、消波装置Ａに激突することも珍しくない。
【０００３】
（２）従来は、レースコースから外れて消波装置Ａに激突することがあっても緩衝装置を有するガードレールによってレース艇Ｂｔ及び選手（操船者）は、岸壁、ポール、塔、その他の機器に衝突することが無く、安全にレースをおこなうことができた。
【０００４】
従って、競艇場に於けるガードレール付き消波装置としては、
【特許文献１】特開平５−３１７、５３０（競艇場用消波装置及び緩衝装置付きガード・レール）、
【特許文献２】特開平１１−１０４、３６４（ガード・レール付き浮遊型消波装置）等が挙げられる。
【０００５】
（３）しかし、モンキーターンなどの操縦技術の進歩や推進器の改良により、著しく旋回速度が向上したため、ガードレール付消波装置Ａに激突し、レース艇Ｂｔから投げ出された選手がガードレールの上を越えて消波装置Ａの鋼材やポールに衝突して負傷、あるいは、最悪の場合は死亡事故に至るケースが最近になって発生するようになった。
【発明の開示】
【発明が解決しようとする課題】
【０００６】
（１）旋回時に座席から立ち上がって操縦するモンキーターンの場合、選手の身体はレース艇の上部に設置されたカウル（防護用の囲い）から完全に飛出してしまう。またこの時、選手の身体の位置は消波装置Ａのガードレール上端より高い位置にあるため、レースコースを外れてこのままの体勢で消波装置Ａに激突した場合、選手がレース艇Ｂｔから投げ出され、ガードレールの上を飛び越えて消波装置Ａの鋼材やポールに衝突する危険性が充分考えられる。
【０００７】
（２）これを防ぐため、消波装置Ａ本体の改良に限定した対策法として、単純に消波装置ＡのガードレールＢを嵩上げすることが考えられたが、ガードレールＢの質量増加により消波装置Ａ全体の浮力バランスに悪影響が出、消波装置Ａの全面投影面積が大きくなることから消波装置Ａが風による影響を受け易くなる。
【０００８】
（３）嵩上げされたガードレールＢを支持する金具に関して強度上の見直しが必要となり、ガードレールＢが高くなることによって観客席からの視界が妨げられてしまい、選手側からもガードレールＢが高くなることはレースコースを狭く見せて走りにくいなどの意見もある。
【０００９】
（４）さらに、最も重大なことは強化プラスチック製のガードレールＢであっても直接選手の身体が激突した場合、衝撃の大きさから重傷事故となる可能性が依然として残されることである。これらのことから消波装置そのものの改良に限定した対策法である消波装置ＡのガードレールＢを嵩上げすることには問題が多い。
【００１０】
（５）設置時の質量増加を極力抑え、消波装置Ａの浮力バランスを保ち、観客席からの視界の妨げとならず、風による影響を受けず、かつ耐候性に優れ、そして何よりもレース艇Ｂｔから投げ出された選手をソフトに受け止めて捕獲し、危険な消波装置Ａの鋼材やポールに衝突することを防ぐ機能を有する発明が必要である。
【課題を解決するための手段】
【００１１】
（１）この発明は、前述の競艇場に於けるガードレール付き消波装置に存する安全上の問題を除去するものであり、その第１要旨は、消波装置上に所要本数の支柱を設置し、該支柱間に該消波装置の該ガードレール上端より所要高さにワイヤーロープ等を張設し、該ワイヤーロープ等に防護ネットを吊るし、該防護ネットの下端を該ガードレール上部に固定したことを特徴とした消波装置のネット型安全装置である。
【００１２】
（２）その第2要旨は、該消波装置上に２本の支柱を設置し、該支柱間に該消波装置の該ガードレール上端より１〜２ｍの高さにワイヤーロープ等を張設し、該ワイヤーロープ等に防護ネットを吊るし、該防護ネットの下端を該ガードレール上部に固定したことを特徴とする消波装置のネット型安全装置である。
【００１３】
（３）その第３要旨は、防護ネットの材質が合成材料、天然材料、金属材料等から成ることを特徴とした消波装置のネット型安全装置である。
【００１４】
（４）その第４要旨は、支柱を増設していくことにより防護ネットを横に複数個接続して成ることを特徴とする消波装置のネット型安全装置である。
【発明の効果】
【００１５】
該消波装置Ａの該連結チャンネルＣ上に一定の間隔で設置された該支柱１０と、該消波装置ＡのガードレールＢ上面より上に１〜２ｍ高い位置にある該支柱１０の上端部間に張られたワイヤーロープ１８に吊り下げられた防護ネット２０と、該防護ネット２０の下部を支持パイプ２２と共に該消波装置ＡのガードレールＢに固定し、該支柱１０と該防護ネット２０を結び付けるゴムバンド３２で該防護ネットの平面部２０ｄを成したこと、該支柱１０を増設することでネット型安全装置を横に複数個接続可能としたことにより次に示すような効果が得られる。
【００１６】
（１０）この発明に係るネット型安全装置に於いては、消波装置ＡのガードレールＢ上面より上に１〜２ｍの高さから防護ネット２０を設置したものであるから、レース艇がコースを外れて消波装置Ａに激突し選手がレース艇から投げ出された場合、ガードレールＢの上を飛び越えてもその奥にある該防護ネット２０によって捕獲されるので危険な消波装置Ａの鋼材やポールに衝突することを防ぐことができる。
【００１７】
（２）そして、該防護ネット２０は、所要の弛みを持って設置されているため、該防護ネット２０が弛みなく張られた状態より、選手が該防護ネット２０に捕獲された際の衝撃をより緩和する効果と、該防護ネット２０の耐衝撃荷重値をさらに高めるという相乗効果を発揮する。
【００１８】
（３）該支柱１０は、それぞれ支柱上１０ａ、支柱下１０ｂで構成されているため、小型、軽量で取扱いの容易な該支柱下１０ｂをまず消波装置の連結チャンネルＣと固定した後、該支柱上１０ａを嵌め込むため、水面上に浮かんだ不安定な該消波装置Ａの上でも作業が可能となる。
【００１９】
（４）該支柱１０と該防護ネット２０は、充分な距離を持って設置できるよう該支柱１０の上部形状を直角に曲げて作製されているが、該防護ネット２０が適当な弛みを持って設置されていること、また、選手の体が該防護ネット２０に衝突する際、その衝撃力により該防護ネット２０の網目が伸びることなどから、該防護ネット２０の衝撃吸収効果により充分減速されてはいても、選手の体が該支柱１０に直接衝突することを防ぐため、該支柱１０の上部と下部には緩衝材１６が設置されている。
【００２０】
（５）また、該防護ネット２０は、該防護ネット２０の下部の加工袋２０ｂに支持パイプ２２を通し、該支持パイプ２２を通した該ｂ加工袋２０ｂは数箇所で消波装置ＡのガードレールＢ上部にあけられた孔２０ｃとケーブルタイ２８で固定されるので該ガードレールＢと一体化した構造であること。さらに該支柱１０と該防護ネット２０を結び付けるゴムバンド３２で防護ネットの平面部２０ｄを成したことにより、該防護ネット２０上に投げ出された選手は、該消波装置の該ガードレールＢと、該防護ネット２０で囲われた該防護ネットの平面部２０ｄに捕獲されるのでレースコース側に跳ね返るのを防ぐことができる。このため、レースコース側に跳ね返った選手が、他のレース艇Ｂｔに引っ掛けられ負傷するという危険を防止する効果がある。
【００２１】
（６）該ネット型安全装置は、その構成が簡単であることから、夫々の各部材の製作、運搬、現場組立、取付工事が容易である。
【００２２】
（２２）従って、構成が簡単であるから、既設の消波装置Ａ上に増設することが容易であり、該支柱下１０ｂの取り付け部形状を変えることで、各種のガードレール付消波装置Ａにも設置することができる。
【００２３】
（８）更に、定期点検や経年疲労によるネット型安全装置の交換の際でも、その分解点検又は分解撤去作業が容易である。
【発明を実施するための最良の形態】
【００２４】
前述の通り、この特許出願に係る発明に於いては、消波装置上に2本の支柱を設置し、その支柱間に消波装置のガードレール上面より１〜２ｍの高さにワイヤーロープ等を張り、そこから防護ネットを吊るし、そのネットの下端を消波装置のガードレール上部に固定し、支柱を増設していくことで該防護ネットを横に複数個接続して成ることを特徴とする消波装置のネット型安全装置である。
【実施例】
【００２５】
特許請求の範囲に於ける各請求項記載の発明の実施例を図面によって説明する。図１、２に於いて、請求項１及び２記載の消波装置Ａのネット型安全装置は、それぞれガードレールＢ上面より上に１〜２ｍの高さを有する鋼製支柱１０、１０を有し、該各鋼製支柱１０は、それぞれ支柱上１０ａ、支柱下１０ｂで構成される。
【００２６】
図３に示す通り、該支柱下１０ｂの座面は、消波装置Ａの構造材である縦通連結チャンネルＣと、チャンネル固定金具１４とを介してボルト１２で強固に固定される。図２に示す通り、該支柱１０には衝突を緩和するため緩衝材１６が該支柱１０の下部と、上部の直角に曲げられた端部とにそれぞれ設置される。
【００２７】
図１、２に示す通り、該支柱１０上端にワイヤーロープ１８を設置し、該ワイヤーロープ１８が、シャックル３０で該支柱１０の上端に連結され、ターンバックル３２を調整することで一定の張力で張られる。
【００２８】
図５に示す通り、防護ネット２０は、本体が長さ４ｍ、高さ１．６〜２．３ｍの大きさで、上部に加工リング２０ａ、下部に加工袋２０ｂを設けており、該ワイヤーロープ１８を上部の該加工リング２０ａに貫通して吊下げられる。
【００２９】
図４に示す通り、下部の該加工袋２０ｂに支持パイプ２２を通し、該支持パイプ２２を通した該防護ネット２０下部の該加工袋２０ｂは、数箇所で該消波装置ガードレールＢの上部に穿設された孔２０ｃとケーブルタイ２８で固定され該ガードレールＢと一体化される。
【００３０】
前述の該防護ネット２０の設置に関して、該防護ネット２０はある程度の弛みを持って設置されるため、図２に示す通り、該支柱１０の位置に於いてネットの下方１／５程度の箇所をゴムバンド３４で支柱１０下部に結び付けることで防護ネットの平面部２０ｄを作るようにする。
【００３１】
請求項３記載の該防護ネット２０の材質に於いては、合成材料、天然材料、金属材料等が挙げられる。該防護ネット２０の基準強度は、衝撃荷重１１７６kＮ（１２００kg）以上のものであり、該防護ネット２０の網目１節２脚の引張り強度が１１７６Ｎ以上のものを使用する。
【００３２】
請求項４記載のネット型安全装置に於いては、図６に示すように所要に応じ、該防護ネット２０を設けたネット型安全装置を横に複数個接続可能とする。
【図面の簡単な説明】
【００３３】
【図１】この発明に係るネット型安全装置をガードレール付消波装置に設置した実施例の部分正面図である。
【図２】図１に示すネット型安全装置の側面略図である。
【図３】支柱上と支柱下と消波装置の連結チャンネルとの固定状態を示す詳細図である。
【図４】防護ネットの下部の加工袋に支持パイプを通し、それを消波装置ガードレール上部に穿設された孔とケーブルタイで固定して、ガードレールと一体化した構造を示す断面図である。
【図５】防護ネットの詳細図である。
【図６】ネット型安全装置を横に複数個接続し設置した実施例の完成予想図である。
【符号の説明】
【００３４】
Ａ…消波装置；
Ｂ…消波装置のガードレール；
Ｂｔ…レース艇；
Ｃ…消波装置の縦通連結チャンネル；
１０…支柱；
１０ａ…支柱上；
１０ｂ…支柱下；
１２…ボルト；
１４…チャンネル固定金具；
１６…緩衝材；
１８…ワイヤーロープ；
２０…防護ネット；
２０ａ…加工リング；
２０ｂ…加工袋；
２０ｃ…孔；
２０ｄ…防護ネットの平面部；
２２…支持パイプ；
２８…ケーブルタイ；
３０…シャックル；
３２…ターンバックル；
３４…ゴムバンド。
【図１】
2005342268.tif 000003
【図２】
2005342268.tif 000004
【図３】
2005342268.tif 000005
【図４】
2005342268.tif 000006
【図５】
2005342268.tif 000007
【図６】
2005342268.tif 000008
【手続補正書】
【提出日】平成16年6月4日(2004.6.4)
【手続補正１】
【補正対象書類名】明細書
【補正対象項目名】全文
【補正方法】変更
【補正の内容】
【発明の詳細な説明】
【技術分野】
【０００１】
この発明は、安全用ネットを有するガードレール付き消波装置に関し、更に詳しくは競艇場に於けるガードレール付き消波装置の安全性の改良に関する。
【背景技術】
【０００２】
（１）競艇場に於いて、同時に６隻のレース艇Ｂｔが３００ｍ離れた２つのターンマーク（浮標）を旋回して高速（約80km／h）で競走するが、ターンマークを曲がりきれずレースコースを外れ、消波装置Ａに激突することも珍しくない。
【０００３】
（２）従来は、レースコースから外れて消波装置Ａに激突することがあっても緩衝装置を有するガードレールによってレース艇Ｂｔ及び選手（操船者）は、岸壁、ポール、塔、その他の機器に衝突することが無く、安全にレースをおこなうことができた。
【０００４】
競艇場に於けるガードレール付き消波装置としては、
【特許文献１】特開平５−３１７、５３０（競艇場用消波装置及び緩衝装置付きガード・レール）、
【特許文献２】特開平１１−１０４、３６４（ガード・レール付き浮遊型消波装置）等が挙げられる。
【０００５】
（３）しかし、モンキーターンなどの操縦技術の進歩や推進器の改良により、著しく旋回速度が向上したため、ガードレール付消波装置Ａに激突し、レース艇Ｂｔから投げ出された選手がガードレールの上を越えて消波装置Ａの鋼材やポールに衝突して負傷、あるいは、最悪の場合は死亡事故に至るケースが最近になって発生するようになった。
【発明の開示】
【発明が解決しようとする課題】
【０００６】
（１）旋回時に座席から立ち上がって操縦するモンキーターンの場合、選手の身体はレース艇の上部に設置されたカウル（防護用の囲い）から完全に飛出してしまう。またこの時、選手の身体の位置は消波装置Ａのガードレール上端より高い位置にあるため、レースコースを外れてこのままの体勢で消波装置Ａに激突した場合、選手がレース艇Ｂｔから投げ出され、ガードレールの上を飛び越えて消波装置Ａの鋼材やポールに衝突する危険性が充分考えられる。
【０００７】
（２）これを防ぐため、消波装置Ａ本体の改良に限定した対策法として、単純に消波装置ＡのガードレールＢを嵩上げすることが考えられたが、ガードレールＢの質量増加により消波装置Ａ全体の浮力バランスに悪影響が出、消波装置Ａの全面投影面積が大きくなることから消波装置Ａが風による影響を受け易くなる。
【０００８】
（３）嵩上げされたガードレールＢを支持する金具に関して強度上の見直しが必要となり、ガードレールＢが高くなることによって観客席からの視界が妨げられてしまい、選手側からもガードレールＢが高くなることはレースコースを狭く見せて走りにくいなどの意見もある。
【０００９】
（４）さらに、最も重大なことは強化プラスチック製のガードレールＢであっても直接選手の身体が激突した場合、衝撃の大きさから重傷事故となる可能性が依然として残されることである。これらのことから消波装置そのものの改良に限定した対策法である該消波装置ＡのガードレールＢを嵩上げすることには問題が多い。
【００１０】
（５）設置時の質量増加を極力抑え、消波装置Ａの浮力バランスを保ち、観客席からの視界の妨げとならず、風による影響を受けず、かつ耐候性に優れ、そして何よりもレース艇Ｂｔから投げ出された選手をソフトに受け止めて捕獲し、危険な消波装置Ａの鋼材やポールに衝突することを防ぐ機能を有する発明が必要である。
【課題を解決するための手段】
【００１１】
（１）この発明は、前述の競艇場に於けるガードレール付き消波装置に存する安全上の問題を除去するものであり、その第１要旨は、消波装置上に所要本数の支柱を設置し、該支柱間に該消波装置の該ガードレール上端より所要高さにワイヤーロープ等を張設し、該ワイヤーロープ等に防護ネットを吊るし、該防護ネットの下端を該ガードレール上部に固定したことを特徴とした消波装置のネット型安全装置である。
【００１２】
（２）その第2要旨は、該消波装置上に２本の支柱を設置し、該支柱間に該消波装置の該ガードレール上端より１〜２ｍの高さにワイヤーロープ等を張設し、該ワイヤーロープ等に防護ネットを吊るし、該防護ネットの下端を該ガードレール上部に固定したことを特徴とする消波装置のネット型安全装置である。
【００１３】
（３）その第３要旨は、防護ネットの材質が合成材料、天然材料、金属材料等から成ることを特徴とした消波装置のネット型安全装置である。
【００１４】
（４）その第４要旨は、支柱を増設していくことにより防護ネットを横に複数個接続して成ることを特徴とする消波装置のネット型安全装置である。
【発明の効果】
【００１５】
（１）該消波装置Ａの該連結チャンネルＣ上に一定の間隔で設置された該支柱１０と、該消波装置ＡのガードレールＢ上面より上に１〜２ｍ高い位置にある該支柱１０の上端部間に張られたワイヤーロープ１８に吊り下げられた防護ネット２０と、該防護ネット２０の下部を支持パイプ２２と共に該消波装置ＡのガードレールＢに固定し、該支柱１０と該防護ネット２０を結び付けるゴムバンド３２で該防護ネットの平面部２０ｄとし、該支柱１０を増設することでネット型安全装置を横に複数個接続可能としたことにより次に示すような効果が得られる。
【００１６】
（２）この発明に係るネット型安全装置に於いては、消波装置ＡのガードレールＢ上面より上に１〜２ｍの高さから防護ネット２０を設置したものであるから、レース艇Ｂｔがコースを外れて消波装置Ａに激突し、選手がレース艇から投げ出された場合、ガードレールＢの上を飛び越えてもその奥にある該防護ネット２０によって捕獲されるので危険な消波装置Ａの鋼材やポールに衝突することを防ぐことができる。
【００１７】
（３）そして、該防護ネット２０は、所要の弛みを持って設置されているため、該防護ネット２０が弛みなく張られた状態より、選手が該防護ネット２０に捕獲された際の衝撃をより緩和する効果と、該防護ネット２０の耐衝撃荷重値をさらに高めるという相乗効果を発揮する。
【００１８】
（４）該支柱１０は、それぞれ支柱上１０ａ、支柱下１０ｂで構成されているため、小型、軽量で取扱いの容易な該支柱下１０ｂをまず該消波装置Ａの連結チャンネルＣと固定した後、該支柱上１０ａを嵌め込むため、水面上に浮かんだ不安定な該消波装置Ａの上でも作業が可能となる。
【００１９】
（５）該支柱１０と該防護ネット２０は、充分な距離を持って設置できるよう該支柱１０の上部形状を直角に曲げて作製されているが、該防護ネット２０が適当な弛みを持って設置されていること、また、選手の体が該防護ネット２０に衝突する際、その衝撃力により該防護ネット２０の網目が伸びることなどから、該防護ネット２０の衝撃吸収効果により充分減速されてはいても、選手の体が該支柱１０に直接衝突することを防ぐため、該支柱１０の上部と下部には緩衝材１６が設置されている。
【００２０】
（６）また、該防護ネット２０は、該防護ネット２０の下部の加工袋２０ｂに支持パイプ２２を通し、該支持パイプ２２を通した該加工袋２０ｂは数箇所で該消波装置ＡのガードレールＢ上部にあけられた孔２０ｃとケーブルタイ２８で固定されるので該ガードレールＢと一体化した構造であり、さらに該支柱１０と該防護ネット２０を結び付けるゴムバンド３２で該防護ネット２０の平面部２０ｄとしたことにより、該防護ネット２０上に投げ出された選手は、該消波装置Ａの該ガードレールＢと、該防護ネット２０で囲われた該防護ネットの平面部２０ｄに捕獲されるのでレースコース側に跳ね返るのを防ぐことができる。このため、レースコース側に跳ね返った選手が、他のレース艇Ｂｔに引っ掛けられ負傷するという危険を防止する効果がある。
【００２１】
（７）該ネット型安全装置は、その構成が簡単であることから、夫々の各部材の製作、運搬、現場組立、取付工事が容易である。
【００２２】
（８）従って、構成が簡単であるから、既設の消波装置Ａ上に増設することが容易であり、該支柱下１０ｂの取り付け部形状を変えることで、各種のガードレール付消波装置Ａにも設置することができる。
【００２３】
（９）更に、定期点検や経年疲労によるネット型安全装置の交換の際でも、その分解点検又は分解撤去作業が容易である。
【発明を実施するための最良の形態】
【００２４】
前述の通り、この特許出願に係る発明に於いては、消波装置上に2本の支柱を設置し、その支柱間に消波装置のガードレール上面より１〜２ｍの高さにワイヤーロープ等を張り、そこから防護ネットを吊るし、そのネットの下端を消波装置のガードレール上部に固定し、支柱を増設していくことで該防護ネットを横に複数個接続して成ることを特徴とする消波装置のネット型安全装置である。
【実施例】
【００２５】
特許請求の範囲に於ける各請求項記載の発明の実施例を図面によって説明する。図１、２に於いて、請求項１及び２記載の消波装置Ａのネット型安全装置は、それぞれガードレールＢ上面より上に１〜２ｍの高さを有する鋼製支柱１０、１０を有し、該各鋼製支柱１０は、それぞれ支柱上１０ａ、支柱下１０ｂで構成される。
【００２６】
図３に示す通り、該支柱下１０ｂの座面は、該消波装置Ａの構造材である縦通連結チャンネルＣと、チャンネル固定金具１４とを介してボルト１２で強固に固定される。図２に示す通り、該支柱１０には衝突を緩和するため緩衝材１６が該支柱１０の下部と、上部の直角に曲げられた端部とにそれぞれ設置される。
【００２７】
図１、２に示す通り、該支柱１０上端にワイヤーロープ１８を設置し、該ワイヤーロープ１８が、シャックル３０で該支柱１０の上端に連結され、ターンバックル３２を調整することで一定の張力で張られる。
【００２８】
図５に示す通り、防護ネット２０は、本体が長さ４ｍ、高さ１．６〜２．３ｍの大きさで、上部に加工リング２０ａ、下部に加工袋２０ｂを設けており、該ワイヤーロープ１８を上部の該加工リング２０ａに貫通して吊下げられる。
【００２９】
図４に示す通り、下部の該加工袋２０ｂに支持パイプ２２を通し、該支持パイプ２２を通した該防護ネット２０下部の該加工袋２０ｂは、数箇所で該消波装置ガードレールＢの上部に穿設された孔２０ｃとケーブルタイ２８で固定され該ガードレールＢと一体化される。
【００３０】
前述の該防護ネット２０の設置に関して、該防護ネット２０はある程度の弛みを持って設置されるため、図２に示す通り、該支柱１０の位置に於いてネットの下方１／５程度の箇所をゴムバンド３４で支柱１０下部に結び付けることで該防護ネット２０の平面部２０ｄを作るようにする。
【００３１】
請求項３記載の該防護ネット２０の材質に於いては、合成材料、天然材料、金属材料等が挙げられる。該防護ネット２０の基準強度は、衝撃荷重１１７６kＮ（１２００kg）以上のものであり、該防護ネット２０の網目１節２脚の引張り強度が１１７６Ｎ以上のものを使用する。
【００３２】
請求項４記載のネット型安全装置に於いては、図６に示すように所要に応じ、該防護ネット２０を設けたネット型安全装置を横に複数個接続可能とする。
【図面の簡単な説明】
【００３３】
【図１】この発明に係るネット型安全装置をガードレール付消波装置に設置した実施例の部分正面図である。
【図２】図１に示すネット型安全装置の側面略図である。
【図３】支柱上と支柱下と消波装置の連結チャンネルとの固定状態を示す詳細図である。
【図４】防護ネットの下部の加工袋に支持パイプを通し、それを消波装置ガードレール上部に穿設された孔とケーブルタイで固定して、ガードレールと一体化した構造を示す断面図である。
【図５】防護ネットの詳細図である。
【図６】ネット型安全装置を横に複数個接続し設置した実施例の完成予想図である。
【符号の説明】
【００３４】
Ａ…消波装置；
Ｂ…消波装置のガードレール；
Ｂｔ…レース艇；
Ｃ…消波装置の縦通連結チャンネル；
１０…支柱；
１０ａ…支柱上；
１０ｂ…支柱下；
１２…ボルト；
１４…チャンネル固定金具；
１６…緩衝材；
１８…ワイヤーロープ；
２０…防護ネット；
２０ａ…加工リング；
２０ｂ…加工袋；
２０ｃ…孔；
２０ｄ…防護ネットの平面部；
２２…支持パイプ；
２８…ケーブルタイ；
３０…シャックル；
３２…ターンバックル；
３４…ゴムバンド。
【手続補正書】
【提出日】平成16年6月17日(2004.6.17)
【手続補正１】
【補正対象書類名】明細書
【補正対象項目名】００２５
【補正方法】変更
【補正の内容】
【００２５】
特許請求の範囲に於ける各請求項記載の発明の実施例を図面によって説明する。図１、２に於いて、請求項１及び２記載の消波装置Ａのネット型安全装置は、それぞれガードレールＢ上面より上に１〜２ｍの高さを有する鋼製支柱１０を有し、該各鋼製支柱１０は、それぞれ支柱上１０ａ、支柱下１０ｂで構成される。
【手続補正２】
【補正対象書類名】明細書
【補正対象項目名】００３１
【補正方法】変更
【補正の内容】
【００３１】
請求項３記載の該防護ネット２０の材質に於いては、合成材料、天然材料、金属材料等が挙げられる。該防護ネット２０の基準強度は、衝撃荷重１１.７６kＮ（１２００kg）以上のものであり、該防護ネット２０の網目１節２脚の引張り強度が１７７０Ｎ以上のものを使用する。